(57)【要約】  【課題】  数値の変更操作に使用者が苛立ちを覚える虞が低く、快適に数値の変更操作を行うことができる電気機器を提供する。  【解決手段】  入力される視聴制限用の被認証データとして入力される４桁の数値の設定に係る第１操作部１０ｃ及び第２操作部１０ｄを備えるテレビジョン受像機に、第１操作部１０ｃが操作された場合、入力される数値のいずれか一桁の数を１増加させる第１変更手段と、第２操作部１０ｄが操作された場合、一桁の数を２以上の整数分増加させる第２変更手段とを備え、第１操作部１０ｃ及び第２操作部１０ｄが操作された場合、変更対象の一桁の数を決定し、第１変更手段及び第２変更手段は、未決定の他の一桁の数を変更するように構成する。【選択図】        図１
2006180287.tif 000002
【特許請求の範囲】
【請求項１】
入力される数値の設定に係る第１操作部及び第２操作部を備え、該第１操作部及び第２操作部の操作内容に応じた処理を行うようにしてある電気機器において、
前記第１操作部が操作された場合、数値を１変更する第１変更手段と、
前記第２操作部が操作された場合、数値を２以上の整数分変更する第２変更手段と
を備えることを特徴とする電気機器。
【請求項２】
前記第１操作部及び第２操作部が略同時に操作された場合、変更対象の数値を入力値として決定する手段を備える
ことを特徴とする請求項１に記載の電気機器。
【請求項３】
入力される複数桁の数値の設定に係る第１操作部及び第２操作部を備え、該第１操作部及び第２操作部の操作内容に応じた処理を行うようにしてある電気機器において、
前記第１操作部が操作された場合、複数桁の数値のいずれか一桁の数を１変更する第１変更手段と、
前記第２操作部が操作された場合、複数桁の数値のいずれか一桁の数を２以上の整数分変更する第２変更手段と、
前記第１操作部及び第２操作部が略同時に操作された場合、変更対象の一桁の数を決定する決定手段と
を備え、
前記第１変更手段及び第２変更手段は、
前記決定手段が前記一桁の数を決定した場合、他の一桁の数を変更するようにしてある
ことを特徴とする電気機器。
【請求項４】
前記数値は、
Ｎ進数であり、
前記第１変更手段及び第２変更手段は、
０以上Ｎ未満の範囲で循環するように一桁の数を変更するようにしてある
ことを特徴とする請求項３に記載の電気機器。
（但し、Ｎは３以上の整数）
【請求項５】
入力される数値の設定に係る第１操作部及び第２操作部を備え、該第１操作部及び第２操作部の操作内容に応じた処理を行うようにしてある電気機器において、
数値を順々に１変更する変更手段と、
該変更手段が数値を変更している場合に、前記第１操作部が操作されたとき、前記変更手段による数値の変更を停止させる手段と、
前記変更手段が数値の変更を停止している場合に、前記第１操作部が操作されたとき、前記変更手段による数値の変更を開始させる手段と
を備えることを特徴とする電気機器。
【請求項６】
入力される複数桁の数値の設定に係る第１操作部及び第２操作部を備え、該第１操作部及び第２操作部の操作内容に応じた処理を行うようにしてある電気機器において、
複数桁の数値のいずれか一桁の数を順々に１変更する変更手段と、
前記変更手段が数を変更している場合に、前記第１操作部が操作されたとき、前記変更手段による数の変更を停止させる手段と、
該変更手段が数の変更を停止している場合に、前記第１操作部が操作されたとき、前記変更手段による数の変更を開始させる手段と、
前記変更手段が数の変更を停止している場合に、前記第２操作部が操作されたとき、変更対象の一桁の数を決定する決定手段と
を備え、
前記変更手段は、
前記決定手段が前記一桁の数を決定した場合、他の一桁の数を変更するようにしてある
ことを特徴とする電気機器。
【請求項７】
放送を受信する受信手段と、
該受信手段が受信した放送の内容を出力する出力手段と、
該出力手段による出力を制限する制限手段と
を備え、
入力された数値に応じて、前記制限手段による制限又は前記出力手段による出力を行うようにしてある
ことを特徴とする請求項１乃至請求項６のいずれか一つに記載の電気機器。
【請求項８】
所定文字列から選択された一の文字の設定に係る第１操作部及び第２操作部を備え、該第１操作部及び第２操作部の操作内容に応じた処理を行うようにしてある電気機器において、
前記第１操作部が操作された場合、一の文字を該一の文字の隣の文字に変更する手段と、
前記第２操作部が操作された場合、一の文字を該一の文字から離れた文字に変更する手段と
を備えることを特徴とする電気機器。
【請求項９】
所定文字列から選択された一の文字の設定に係る第１操作部及び第２操作部を備え、該第１操作部及び第２操作部の操作内容に応じた処理を行うようにしてある電気機器において、
一の文字を該一の文字の隣の文字に順々に変更する変更手段と、
該変更手段が文字を変更している場合に、前記第１操作部が操作されたとき、前記変更手段による文字の変更を停止させる手段と、
前記変更手段が文字の変更を停止している場合に、前記第１操作部が操作されたとき、前記変更手段による文字の変更を開始させる手段と、
前記変更手段が文字の変更を停止している場合に、前記第２操作部が操作されたとき、変更対象の一の文字を入力文字として決定する手段と
を備えることを特徴とする電気機器。
【発明の詳細な説明】
【技術分野】
【０００１】
本発明は、入力される数値又は文字の設定に係る２つの操作部を備える電気機器に関する。
【背景技術】
【０００２】
入力される数値を１増加又は１減少させる第１操作部及び第２操作部、例えば、テレビジョン受像機のチャンネルアップボタン及びチャンネルダウンボタンを備える電気機器がある。
【０００３】
電気機器の使用者は、第１操作部及び第２操作部を操作することにより、チャンネルの数値を増減させて、所望のチャンネルの数値を入力する。
【特許文献１】特開平１１−２５２４０３号公報
【発明の開示】
【発明が解決しようとする課題】
【０００４】
このように構成される電気機器においては、電気機器の動作を制御するための数値、例えば１〜１２のチャンネルに対応する操作部を設ける必要がないため、数値を増減させる電気機器を低コストで製造することができる。
【０００５】
しかしながら、従来の電気機器においては、チャンネルの数値を１ずつ増加又は減少させて順々に数値を変更させるため、電気機器の使用者は、数値の変更操作に苛立ちを覚える虞あり、操作性が悪いという問題があった。
【０００６】
また、所望の数値に変更する操作を行う場合、第１操作部又は第２操作部を複数回、繰り返し操作する必要があるため、電気機器の使用者は、数値の変更操作に苛立ちを覚える虞があり、操作性が悪いという問題があった。
【０００７】
更に、上述の問題は、所定文字列、例えばアルファベットの文字列から選択された一の文字を順々に変更するように構成されている電気機器、例えば録音した曲の曲名をアルファベットにて入力することができる録音機器等も同様に有している。
【０００８】
本発明は、斯かる事情に鑑みてなされたものであり、第２操作部が操作された場合、数値を２以上の整数分変更することにより、数値を１増加又は減少させて数値を変更する場合に比して、数値が大きく変更されるため、数値の変更操作に使用者が苛立ちを覚える虞は低く、入力される数値の変更操作を快適に行うことができる電気機器を提供することを目的とする。
【０００９】
また、第１操作部及び第２操作部が略同時に操作された場合、変更対象の数値を入力値として決定することにより、数値の決定に係る専用の操作部が不要となり、低コストで製造することができる電気機器を提供することを他の目的とする。
【００１０】
更に、第１操作部が操作された場合、複数桁の数値のいずれか一桁の数を１変更し、第２操作部が操作された場合、一桁の数を２以上の整数分変更し、第１操作部及び第２操作部が略同時に操作された場合、前記一桁の数を決定し、他の一桁の数を変更するように構成することにより、数値の変更操作に使用者が苛立ちを覚える虞は低く、入力される数値の変更操作を快適に行うことができる電気機器を提供することを他の目的とする。
【００１１】
更にまた、第１操作部又は第２操作部が操作された場合、Ｎ進数の数値のいずれか一桁の数を、０以上Ｎ未満の範囲で循環させて増減させる構成とすることにより、効率的に数値を変更することができる電気機器を提供することを他の目的とする。
【００１２】
更にまた、第１操作部が操作された場合、自動的に数値を１ずつ変更する処理を開始又は停止し、第２操作部が操作された場合、変更対象の数値を決定するように構成することにより、第１操作部又は第２操作部が操作された場合にのみ、数値を変更する場合に比して、所望の数値を入力するための変更操作の回数が少なく、入力される数値の変更を快適に行うことができる電気機器を提供することを他の目的とする。
【００１３】
更にまた、第１操作部が操作された場合、自動的に複数桁の数値のいずれか一桁の数を１ずつ変更する処理を開始又は停止し、第２操作部が操作された場合、変更対象の数を決定し、他の一桁の数を変更するように構成することにより、第１操作部又は第２操作部が操作された場合にのみ、一桁の数を変更する場合に比して、所望の数値を入力するための変更操作の回数が少なく、入力される数値の変更を快適に行うことができる電気機器を提供することを他の目的とする。
【００１４】
更にまた、第１操作部又は第２操作部により変更されて入力された数値に応じて、視聴制限及び視聴制限の解除を行うように構成することにより、視聴制限及び視聴制限の解除に必要な数値の変更及び入力を快適に行うことができる電気機器を提供することを他の目的とする。
【００１５】
更にまた、第１操作部が操作された場合、所定文字列から選択された一の文字を該一の文字の隣の文字に変更し、第２操作部が操作された場合、一の文字を該一の文字から離れた他の文字に変更するように構成することにより、文字の変更操作に使用者が苛立ちを覚える虞は低く、入力される文字の変更操作を快適に行うことができる電気機器を提供することを他の目的とする。
【００１６】
更にまた、第１操作部が操作された場合、所定文字列から選択された一の文字を該一の文字の隣の文字に自動的に順々に変更する処理を開始又は停止し、第２操作部が操作された場合、変更対象の文字を決定するように構成することにより、第１操作部又は第２操作部が操作された場合にのみ、一の文字を変更する場合に比して、所望の文字を入力するための変更操作の回数が少なく、入力される文字の変更操作を快適に行うことができる電気機器を提供することを他の目的とする。
【課題を解決するための手段】
【００１７】
本発明に係る電子機器は、入力される数値の設定に係る第１操作部及び第２操作部を備え、該第１操作部及び第２操作部の操作内容に応じた処理を行うようにしてある電気機器において、前記第１操作部が操作された場合、数値を１変更する第１変更手段と、前記第２操作部が操作された場合、数値を２以上の整数分変更する第２変更手段とを備えることを特徴とする。
【００１８】
本発明にあっては、第１操作部が操作された場合、数値を１増加又は１減少させ、第２操作部が操作された場合、数値を２以上の整数分増加又は２以上の整数分減少させる。第２操作部が操作された場合、数値は２以上の整数分変化するため、１ずつ数値が増減する場合に比して、使用者が数値の変更操作に苛立ちを覚える虞は低い。
【００１９】
本発明に係る電子機器は、前記第１操作部及び第２操作部が略同時に操作された場合、変更対象の数値を入力値として決定する手段を備えることを特徴とする。
【００２０】
本発明にあっては、第１操作部及び第２操作部が単独で操作された場合、数値を変更するが、第１操作部及び第２操作部が略同時に操作された場合、数値を増減する処理を行わず、変更対象の数値を入力値として決定する。
【００２１】
本発明に係る電子機器は、入力される複数桁の数値の設定に係る第１操作部及び第２操作部を備え、該第１操作部及び第２操作部の操作内容に応じた処理を行うようにしてある電気機器において、前記第１操作部が操作された場合、複数桁の数値のいずれか一桁の数を１変更する第１変更手段と、前記第２操作部が操作された場合、複数桁の数値のいずれか一桁の数を２以上の整数分変更する第２変更手段と、前記第１操作部及び第２操作部が略同時に操作された場合、変更対象の一桁の数を決定する決定手段とを備え、前記第１変更手段及び第２変更手段は、前記決定手段が前記一桁の数を決定した場合、他の一桁の数を変更するようにしてあることを特徴とする。
【００２２】
本発明にあっては、第１操作部が操作された場合、複数桁の数値のいずれか一桁の数を１増加又は１減少させ、第２操作部が操作された場合、一桁の数を２以上の整数分増加又は２以上の整数分減少させる。第２操作部が操作された場合、一桁の数は２以上の整数分変化するため、１ずつ数が増減する場合に比して、使用者が一桁の数の変更操作に苛立ちを覚える虞は低い。また、第１操作部及び第２操作部が略同時に操作された場合、変更対象の一桁の数を決定し、以後、第１変更手段及び第２変更手段は、他の一桁の数を増減する。
【００２３】
本発明に係る電子機器は、前記数値が、Ｎ進数であり、前記第１変更手段及び第２変更手段は、０以上Ｎ未満の範囲で循環するように一桁の数を変更するようにしてあることを特徴とする。（但し、Ｎは３以上の整数）
【００２４】
本発明にあっては、第１操作部又は第２操作部が操作された場合、数値が０以上Ｎ未満の範囲で循環するように変更されるため、数値が循環しない場合に比して、数の変更を効率的に行うことができる。
【００２５】
本発明に係る電子機器は、入力される数値の設定に係る第１操作部及び第２操作部を備え、該第１操作部及び第２操作部の操作内容に応じた処理を行うようにしてある電気機器において、数値を順々に１変更する変更手段と、該変更手段が数値を変更している場合に、前記第１操作部が操作されたとき、前記変更手段による数値の変更を停止させる手段と、前記変更手段が数値の変更を停止している場合に、前記第１操作部が操作されたとき、前記変更手段による数値の変更を開始させる手段とを備えることを特徴とする。
【００２６】
本発明にあっては、第１操作部が操作された場合、自動的に数値を順々に１増加又は減少させるように数値を変更する処理を開始又は停止させる。第２操作部が操作された場合、変更対象の数値を入力値として決定する。
【００２７】
本発明に係る電子機器は、入力される複数桁の数値の設定に係る第１操作部及び第２操作部を備え、該第１操作部及び第２操作部の操作内容に応じた処理を行うようにしてある電気機器において、複数桁の数値のいずれか一桁の数を順々に１変更する変更手段と、該変更手段が数を変更している場合に、前記第１操作部が操作されたとき、前記変更手段による数の変更を停止させる手段と、前記変更手段が数の変更を停止している場合に、前記第１操作部が操作されたとき、前記変更手段による数の変更を開始させる手段と、前記変更手段が数の変更を停止している場合に、前記第２操作部が操作されたとき、変更対象の一桁の数を決定する決定手段とを備え、前記変更手段は、前記決定手段が前記一桁の数を決定した場合、他の一桁の数を変更するようにしてあることを特徴とする。
【００２８】
本発明にあっては、第１操作部が操作された場合、自動的に複数桁の数値のいずれか一桁の数を１ずつ順々に増減する変更手段の処理を開始又は停止させる。第２操作部が操作された場合、変更対象の数を決定し、以後、変更手段は、他の一桁の数を増減する。
【００２９】
本発明に係る電子機器は、放送を受信する受信手段と、該受信手段が受信した放送の内容を出力する出力手段と、該出力手段による出力を制限する制限手段とを備え、入力された数値に応じて、前記制限手段による制限又は前記出力手段による出力を行うようにしてあることを特徴とする。
【００３０】
本発明にあっては、第１操作部又は第２操作部により変更され、入力された数値に応じて、受信した放送の内容の出力及び出力の制限を行う。つまり、入力される数値を、パスワードとして認証し、認証結果に応じて視聴制限及び視聴制限の解除を行う。
【００３１】
本発明に係る電子機器は、所定文字列から選択された一の文字の設定に係る第１操作部及び第２操作部を備え、該第１操作部及び第２操作部の操作内容に応じた処理を行うようにしてある電気機器において、前記第１操作部が操作された場合、一の文字を該一の文字の隣の文字に変更する手段と、前記第２操作部が操作された場合、一の文字を該一の文字から離れた文字に変更する手段とを備えることを特徴とする。
【００３２】
本発明にあっては、第１操作部が操作された場合、所定文字列、例えばアルファベットの文字列から選択された一の文字を該一の文字の隣の文字に変更し、第２操作部が操作された場合、一の文字を該一の文字から離れた他の文字に変更するため、入力される文字を順々に該文字の隣の文字に変更する場合に比して、使用者が文字の変更操作に苛立ちを覚える虞は低い。
【００３３】
本発明に係る電子機器は、所定文字列から選択された一の文字の設定に係る第１操作部及び第２操作部を備え、該第１操作部及び第２操作部の操作内容に応じた処理を行うようにしてある電気機器において、一の文字を該一の文字の隣の文字に順々に変更する変更手段と、該変更手段が文字を変更している場合に、前記第１操作部が操作されたとき、前記変更手段による文字の変更を停止させる手段と、前記変更手段が文字の変更を停止している場合に、前記第１操作部が操作されたとき、前記変更手段による文字の変更を開始させる手段と、前記変更手段が文字の変更を停止している場合に、前記第２操作部が操作されたとき、変更対象の一の文字を入力文字として決定する手段とを備えることを特徴とする。
【００３４】
本発明にあっては、第１操作部が操作された場合、所定文字列から選択された一の文字を該一の文字の隣の文字に変更する変更手段の処理を開始又は停止させる。第２操作部が操作された場合、変更対象の一の文字を入力文字として決定する。
【発明の効果】
【００３５】
本発明では、数値を１増加又は１減少させて数値を変更する場合に比して、数値が大きく変更されるため、数値の変更操作に使用者が苛立ちを覚える虞は低く、入力される数値の変更操作を快適に行うことができる。
【００３６】
本発明では、数値の決定に係る専用の操作部が不要となり、低コストで電気機器を製造することができる。また、前記専用の操作部が不要であるため、電気機器の外観をより簡素に構成することができる。
【００３７】
本発明では、複数桁の数値のいずれか一の桁の数を１増加又は１減少させて数値を変更する場合に比して、数値の変更操作に使用者が苛立ちを覚える虞は低く、入力される数値の変更操作を快適に行うことができる。
【００３８】
本発明では、数を０以上Ｎ未満の範囲で循環させて、効率的に入力する数値の変更を行うことができる。
【００３９】
本発明では、第１操作部又は第２操作部が操作された場合にのみ、数値を変更する場合に比して、所望の数値を入力するための変更操作の回数が少なく、快適に数値の変更を行うことができる。
【００４０】
本発明では、第１操作部又は第２操作部が操作された場合にのみ、複数桁の数値のいずれか一桁の数を変更する場合に比して、所望の数値を入力するための変更操作の回数が少なく、快適に数値の変更を行うことができる。
【００４１】
本発明では、視聴制限及び視聴制限の解除に必要な数値の変更及び入力を快適に行うことができる。
【００４２】
本発明では、所定文字列から選択された一の文字の変更操作に、使用者が苛立ちを覚える虞は低く、快適に文字の変更操作を行うことができる。
【００４３】
本発明では、第１操作部又は第２操作部が操作された場合にのみ、所定文字列から選択された一の文字を変更する場合に比して、所望の文字を入力するための変更操作の回数が少なく、文字の変更を快適に行うことができる。
【発明を実施するための最良の形態】
【００４４】
以下、本発明をその実施の形態を示す図面に基づいて詳述する。
【００４５】
（実施の形態１）
図１は、実施の形態１に係るテレビジョン受像機の構成を示すブロック図、図２はテレビジョン受像機の略示斜視図である。実施の形態１に係るテレビジョン受像機は、アンテナＡにて受信したＶＨＦ又はＵＨＦテレビジョン放送信号のＲＦ（Ｒａｄｉｏ  Ｆｒｅｑｕｅｎｃｙ）信号が入力されるチューナ部１４ｂ（受信手段）を備えている。
【００４６】
チューナ部１４ｂは、選択されたチャンネルのＲＦ信号を選択及び増幅し、増幅した信号を中間周波信号に変換して、中間周波増幅部１４ｃへ出力する。チューナ部１４ｂのチャンネル選択は、マイクロコンピュータを用いてなる制御部１４ａにより制御される。
【００４７】
制御部１４ａは、チャンネル選択、視聴、視聴制限及び視聴制限の解除に係る処理を実行するためのプログラムを記憶する図示しないＲＯＭ、該ＲＯＭが記憶するプログラムを実行するＣＰＵ、一時記憶用のＲＡＭ、タイマー１７等を備えている。
【００４８】
中間周波増幅部１４ｃは、チューナ部１４ｂが出力した中間周波信号から、映像中間周波信号と音声中間周波信号とを分離し、分離した映像中間周波信号及び音声中間周波信号を増幅して、夫々映像検波部１４ｄ及び音声検波部１４ｅへ出力する。
【００４９】
映像検波部１４ｄは、映像中間周波信号から、輝度信号、色差信号、帰線消去信号、同期信号等が重畳した映像信号の分離及び検波を行い、検波した映像信号を信号処理部１６へ出力する。音声検波部１４ｅは、音声中間周波信号から音声ＦＭ信号を検波し、更に音声ＦＭ信号から音声信号の検波を行い、検波した音声信号を信号処理部１６へ出力する。
【００５０】
信号処理部１６（出力手段）は、映像信号をＲＧＢの映像信号に復調して表示部１２へ出力する。表示部１２は、液晶パネルを駆動する駆動部、該駆動部を制御するコントローラ等を備えている。コントローラは、信号処理部１６から出力された映像信号に基づいて液晶パネルに、放送された画像を表示する。
【００５１】
また、信号処理部１６は、音声検波部１４ｅから出力された音声信号を増幅してスピーカ１３へ出力する。スピーカ１３は、信号処理部１６から出力された音声信号に基づいて音声を再生する。
【００５２】
制御部１４ａは、視聴制限を行う視聴制限チャンネルを記憶する記憶部１５を備えており、記憶部１５が記憶している視聴制限チャンネルを示す制御信号を信号処理部１６へ出力する。信号処理部１６は、制御部１４ａから出力された前記制御信号により、視聴制限チャンネルの視聴を制限する視聴制限部１６ａ（制限手段）を備えている。視聴制限部１６ａは、検波した映像信号により復調した映像信号の表示部１２への出力と、音声信号のスピーカ１３への出力とを停止し、所定の画像、例えば単色画像に係る映像信号を表示部１２へ出力する機能を有している。
【００５３】
また、制御部１４ａは、テレビジョン受像機の使用者により選択されたチャンネルを記憶部１５に記憶させ、記憶部１５が記憶した前記チャンネルを示す制御信号をチューナ部１４ｂへ出力する。チューナ部１４ｂは、制御部１４ａから出力された前記制御信号に基づいて、チャンネルの選択等を行う。
【００５４】
また、テレビジョン受像機は、電源ボタン１０ａ、メニューボタン１０ｂ、第１操作部１０ｃ、及び第２操作部１０ｄを備えており、各ボタン、及び第１及び第２操作部１０ｃ、１０ｄの操作状態は、制御部１４ａにより検出可能に構成されている。更に、テレビジョン受像機は、外部の遠隔操作装置から送信された赤外線の操作信号を受信する受信部１１を備えている。
【００５５】
制御部１４ａは、第１及び第２操作部１０ｃ、１０ｄの操作により入力された被認証データに応じて、視聴制限の設定及び解除に関する処理を行う。より具体的には、記憶部１５は、入力された被認証データと比較される認証データを記憶しており、制御部１４ａは、被認証データと記憶部１５が記憶している認証データとを比較し、被認証データと認証データとが一致している場合、視聴制限の設定及び解除に関する処理を行う。被認証データは、例えば４桁の数値であり、４桁の数値は、各桁の数を示すＱ０、Ｑ１、Ｑ２、及びＱ３により２進化１０進法で表現される。
【００５６】
図３及び図４は、視聴制限及び視聴制限の解除に係る制御部１４ａの処理手順を示すフローチャートである。電源ボタン１０ａが操作され、電源がオンになった場合、制御部１４ａは、制限フラグＦに１を設定する（ステップＳ１）。次いで、制御部１４ａは、メニューボタン１０ｂの操作状態を検出し、メニューボタン１０ｂが操作されたか否かを判定する（ステップＳ２）。メニューボタン１０ｂが操作されたと判定した場合、（ステップＳ２：ＹＥＳ）、制御部１４ａは、メニュー画像の画像データを信号処理部１６へ出力する（ステップＳ３）。メニュー画像は、視聴制限設定モード及び視聴制限解除モードを選択するための小画像と、各小画像のいずれかを選択するためのカーソルの画像を含む画像である。
【００５７】
制御部１４ａからメニュー画像に係る信号が出力された場合、信号処理部１６は、映像信号の画像にメニュー画像をＯＳＤ表示した画像の映像信号を表示部１２へ出力する。
【００５８】
ステップＳ３の処理を終えた場合、制御部１４ａは、モードの選択を受け付ける（ステップＳ４）。つまり、制御部１４ａは、第１操作部１０ｃ及び第２操作部１０ｄの操作を検出した場合、第１操作部１０ｃ及び第２操作部１０ｄの操作状態に応じて、カーソルで選択されている一の小画像と異なる他の小画像を、カーソルで選択したメニュー画像の画像データを信号処理部１６へ出力する。そして、第１操作部１０ｃ及び第２操作部１０ｄが略同時に操作されたことを検出した場合、制御部１４ａは、小画像に対応する各モードのいずれかが選択されたと判定する。
【００５９】
次いで、制御部１４ａは、視聴制限設定モードが選択されたか否かを判定する（ステップＳ５）。視聴制限設定モードが選択されたと判定した場合（ステップＳ５：ＹＥＳ）、制御部１４ａは、視聴制限の設定に係るサブルーチンを呼び出し、視聴制限の設定に係る処理を実行する（ステップＳ６）。
【００６０】
視聴制限の設定に係るサブルーチンの処理を終えた場合、又はステップＳ５において視聴制限設定モードが選択されていないと判定した場合（ステップＳ５：ＮＯ）、制御部１４ａは、視聴制限解除モードが選択されたか否かを判定する（ステップＳ７）。視聴制限解除モードが選択されたと判定した場合（ステップＳ７：ＹＥＳ）、制御部１４ａは、視聴制限の解除に係るサブルーチンを呼び出し、視聴制限の解除に係る処理を実行する（ステップＳ８）。
【００６１】
視聴制限の解除に係るサブルーチンの処理を終えた場合、ステップＳ７において視聴制限解除モードが選択されていないと判定した場合（ステップＳ７：ＮＯ）、又はステップＳ２においてメニューボタン１０ｂが操作されていないと判定した場合（ステップＳ２：ＮＯ）、制御部１４ａは、第１操作部１０ｃ及び第２操作部１０ｄの操作状態を検出し、第１操作部１０ｃ又は第２操作部１０ｄが操作されたか否かを判定する（ステップＳ９）。
【００６２】
第１操作部１０ｃ又は第２操作部１０ｄが操作されたと判定した場合（ステップＳ９：ＹＥＳ）、制御部１４ａは、第１操作部１０ｃ又は第２操作部１０ｄの操作状態に応じて、選択されているチャンネルを変更する（ステップＳ１０）。つまり、制御部１４ａは、選択されたチャンネルを記憶部１５に記憶させる。
【００６３】
ステップＳ１０の処理を終えた場合、又はステップＳ９において第１操作部１０ｃ及び第２操作部１０ｄのいずれもが操作されていないと判定した場合（ステップＳ９：ＮＯ）、制御部１４ａは、記憶部１５から視聴制限チャンネルと、選択されているチャンネルとを読み出し、視聴制限チャンネルが選択されているか否かを判定する（ステップＳ１１）。
【００６４】
視聴制限チャンネルが選択されていると判定した場合（ステップＳ１１：ＹＥＳ）、制御部１４ａは、制限フラグＦが１であるか否かを判定する（ステップＳ１２）。制限フラグＦが１であると判定した場合（ステップＳ１２：ＹＥＳ）、信号処理部１６に、所定画像に係る映像信号を表示部１２へ出力させる（ステップＳ１３）。制限フラグＦが１でないと判定した場合（ステップＳ１２：ＮＯ）、又は視聴制限チャンネルが選択されていないと判定した場合（ステップＳ１１：ＮＯ）、制御部１４ａは、信号処理部１６に、映像信号及び音声信号を表示部１２及びスピーカ１３へ出力させる（ステップＳ１４）。
【００６５】
ステップＳ１３又はステップＳ１４の処理を終えた場合、制御部１４ａは、電源ボタン１０ａの操作状態を検出し、電源ボタン１０ａが操作されたか否かを判定する（ステップＳ１５）。電源ボタン１０ａが操作されたと判定した場合（ステップＳ１５：ＹＥＳ）、制御部１４ａは、処理を終える。電源ボタン１０ａが操作されていないと判定した場合（ステップＳ１５：ＮＯ）、制御部１４ａは、処理をステップＳ２へ戻す。
【００６６】
図５は、視聴制限の設定に係るサブルーチンの処理手順を示すフローチャートである。視聴制限の設定に係るサブルーチンを呼び出した場合、制御部１４ａは、被認証データの入力に係るサブルーチンを呼び出す（ステップＳ２１）。
【００６７】
図６及び図７は、被認証データの入力に係るサブルーチンの処理手順を示すフローチャートである。被認証データの入力に係るサブルーチンを呼び出した場合、制御部１４ａは、変数ｉに０を設定し（ステップＳ３１）、入力される４桁の数値のいずれか一つの桁の数を示すＱｉに０を設定する（ステップＳ３２）。Ｑｉは、Ｑ０、Ｑ１、Ｑ２、又はＱ３のいずれかを示している。
【００６８】
ステップＳ３２の処理を終えた場合、制御部１４ａは、Ｑｉに対応する記号、例えばＱｉのアラビア数字を表示するための画像データを信号処理部１６へ出力する（ステップＳ３３）。
【００６９】
次いで、制御部１４ａは、第１操作部１０ｃの操作状態を検出し、第１操作部１０ｃが操作されたか否かを判定する（ステップＳ３４）。第１操作部１０ｃが操作されたと判定した場合（ステップＳ３４：ＹＥＳ）、第２操作部１０ｄの操作状態を検出し、第１操作部１０ｃが操作されたときから所定時間内に第２操作部１０ｄが操作されたか否かを判定する（ステップＳ３５）。所定時間の判定は、例えば、第１操作部１０ｃが操作された場合にタイマー１７をセットし、第２操作部１０ｄが操作された場合にタイマー１７の計時結果を検出し、検出した計時結果と所定時間とを比較して行う。
【００７０】
所定時間内に第２操作部１０ｄが操作されていないと判定した場合（ステップＳ３５：ＮＯ）、制御部１４ａは、Ｑｉに１を加算する（ステップＳ３６）。次いで、制御部１４ａは、Ｑｉが９より大きいか否かを判定する（ステップＳ３７）。Ｑｉが９より大きいと判定した場合（ステップＳ３７：ＹＥＳ）、制御部１４ａは、Ｑｉから１０を減算する（ステップＳ３８）。
【００７１】
Ｑｉが９以下の数字であると判定した場合（ステップＳ３７：ＮＯ）、ステップＳ３４において第１操作部１０ｃが操作されていないと判定した場合（ステップＳ３４：ＮＯ）、又はステップＳ３８の処理を終えた場合、制御部１４ａは、第２操作部１０ｄの操作状態を検出し、第２操作部１０ｄが操作されたか否かを判定する（ステップＳ３９）。
【００７２】
第２操作部１０ｄが操作されたと判定した場合（ステップＳ３９：ＹＥＳ）、制御部１４ａは、第１操作部１０ｃの操作状態を検出し、第２操作部１０ｄが操作されたときから所定時間内に第１操作部１０ｃが操作されたか否かを判定する（ステップＳ４０）。所定時間内に第１操作部１０ｃが操作されていないと判定した場合（ステップＳ４０：ＮＯ）、制御部１４ａは、Ｑｉに２を加算する（ステップＳ４１）。
【００７３】
次いで、制御部１４ａは、Ｑｉが９より大きいか否かを判定する（ステップＳ４２）。Ｑｉが９より大きいと判定した場合（ステップＳ４２：ＹＥＳ）、制御部１４ａは、Ｑｉから１０を減算する（ステップＳ４３）。
【００７４】
Ｑｉが９以下の数字であると判定した場合（ステップＳ４２：ＮＯ）、ステップＳ３９において第１操作部１０ｃが操作されていないと判定した場合（ステップＳ３９：ＮＯ）、又はステップＳ４３の処理を終えた場合、制御部１４ａは、処理をステップＳ３３へ戻す。
【００７５】
ステップＳ４０において所定時間内に第１操作部１０ｃが操作されたと判定した場合（ステップＳ４０：ＹＥＳ）、又はステップＳ３５において所定時間内に第２操作部１０ｄが操作されたと判定した場合（ステップＳ３５：ＹＥＳ）、制御部１４ａは、変数ｉに１を加算する（ステップＳ４４）。次いで、制御部１４ａは、変数ｉが３より大きいか否かを判定する（ステップＳ４５）。
【００７６】
変数ｉが３より大きいと判定した場合（ステップＳ４５：ＹＥＳ）、制御部１４ａは、被認証データの入力に係るサブルーチンの処理を終了する。変数ｉが３以下の数であると判定した場合（ステップＳ４５：ＮＯ）、制御部１４ａは、処理をステップＳ３２へ戻す。
【００７７】
被認証データの入力に係るサブルーチンの処理を終えた場合、図５に示すように、制御部１４ａは、入力された被認証データと、記憶部１５が記憶している認証データとを比較し、入力された被認証データが認証データと一致するか否かを判定する（ステップＳ２２）。
【００７８】
被認証データが認証データと一致すると判定した場合（ステップＳ２２：ＹＥＳ）、制御部１４ａは、視聴制限チャンネルを受け付け（ステップＳ２３）、受け付けた視聴制限チャンネルを記憶部１５に記憶させる（ステップＳ２４）。視聴制限チャンネルの受付は、制御部１４ａが、第１操作部１０ｃ及び第２操作部１０ｄの操作状態を検出することにより行う。
【００７９】
被認証データが認証データと一致しないと判定した場合（ステップＳ２２：ＮＯ）、制御部１４ａは、認証に失敗したことを示す画像を信号処理部１６へ出力する（ステップＳ２５）。ステップＳ２４又はステップＳ２５の処理を終えた場合、制御部１４ａは、視聴制限の設定に係るサブルーチンの処理を終える。
【００８０】
図８は、視聴制限の解除に係るサブルーチンの処理手順を示すフローチャートである。視聴制限の解除に係るサブルーチンを呼び出した場合、制御部１４ａは、制限フラグＦが１であるか否かを判定する（ステップＳ５１）。制限フラグＦが１であると判定した場合（ステップＳ５１：ＹＥＳ）、制御部１４ａは、被認証データの入力に係るサブルーチンを呼び出し、被認証データの入力に係る処理を実行する（ステップＳ５２）。
【００８１】
次いで、制御部１４ａは、ステップＳ５２にて入力された被認証データと、記憶部１５が記憶している認証データとが一致するか否かを判定する（ステップＳ５３）。入力された被認証データと認証データとが一致すると判定した場合（ステップＳ５３：ＹＥＳ）、制御部１４ａは制限フラグＦに０を設定する（ステップＳ５４）。入力された被認証データと認証データとが一致しないと判定した場合（ステップＳ５３：ＮＯ）、制御部１４ａは、認証に失敗したことを示す画像の画像データを信号処理部１６へ出力する（ステップＳ５５）。
【００８２】
ステップＳ５１において制限フラグＦが１でないと判定した場合（ステップＳ５１：ＮＯ）、制御部１４ａは、視聴制限が解除済であることを示す画像の画像データを信号処理部１６へ出力する（ステップＳ５６）。
【００８３】
ステップＳ５４、ステップＳ５５、又はステップＳ５６の処理を終えた場合、制御部１４ａは、視聴制限の解除に係るサブルーチンの処理を終える。
【００８４】
実施の形態１にあっては、被認証データの数値のいずれか一桁の数を、第２操作部１０ｄにより２ずつ変更するため、第１操作部１０ｃ及び第２操作部１０ｄにより数を１ずつ変更する場合に比して、数値の変更操作に使用者が苛立ちを覚える虞は低く、快適に数値の変更操作を行うことができる。
また、テレビジョン受像機の本体側にて、視聴制限の設定及び解除を行うため、視聴制限の設定及び解除を行うための遠隔操作装置を紛失した場合であっても、視聴制限の設定及び解除を行うことができる。
【００８５】
なお、実施の形態１においては、１０進数として入力される数値の各桁の数が０から９の範囲で循環して変更されるように構成してあるが、電気機器の用途に応じて、０から３、又は０から７の範囲で循環して変更されるように構成しても良い。
【００８６】
また、入力される数値の各桁の数が循環して変更されるように構成してあるが、循環しないように構成しても良い。但し、循環するように構成した方が、より効率的に所望の数値を入力することができる。
【００８７】
更に、Ｑｉに対応する記号として、Ｑｉのアラビア数字を表示するように構成し、使用者が被認証データ及び認証データを数字として認識するように構成してあるがこれに限らず、アルファベット、ひらがな、又はその他の図形からなる記号を表示するように構成し、使用者が被認証データ及び認証データを文字、図形、又はその他の記号として認識するように構成しても良い。より具体的には、０、２、３・・・２５の数字夫々にＡ、Ｂ、Ｃ・・・Ｚのアルファベット文字を対応させた対応関係を記憶部１５に記憶させ、入力されたＱｉに対応するアルファベットを表示するように構成すれば良い。
【００８８】
更にまた、４桁の数値を被認証データ及び認証データとして構成しているが、これに限らず、１桁の数値、又はその他の複数桁の数値を被認証データ及び認証データとして構成しても良い。
【００８９】
更にまた、第１操作部１０ｃ及び第２操作部１０ｄにより、４桁の数値の各桁の数を１変更又は２の整数分変更するように構成してあるが、第２操作部１０ｄにより３の整数分、又は４以上の整数分変更するように構成しても良い。
【００９０】
更にまた、実施の形態１にあっては、第１操作部１０ｃ及び第２操作部１０ｄにより、視聴制限用の被認証データの数値を入力するように構成してあるが、同様に、第１操作部１０ｃ及び第２操作部１０ｄによりテレビジョン受像機のチャンネル数を１及び２ずつ変更するように構成しても良い。特に、偶数チャンネルのいずれかを視聴する頻度が高い場合、使用者は、主に第２操作部１０ｄを操作してチャンネルを２ずつ変更し、効率的に所望のチャンネルを選択することができる。
【００９１】
（実施の形態２）
図９は、実施の形態２に係るテレビジョン受像機の被認証データの入力に係るサブルーチンの処理手順を示すフローチャートである。
【００９２】
被認証データの入力に係るサブルーチンを呼び出した場合、制御部１４ａは、変数ｉに０を設定し（ステップＳ１３１）、Ｑｉに０を設定する（ステップＳ１３２）。次いで、制御部１４ａは、タイマー１７による計時を停止させて（ステップＳ１３３）、タイマー１７をリセットする（ステップＳ１３４）。そして、Ｑｉに対応する記号を表示するための画像データを信号処理部１６へ出力する（ステップＳ１３５）。対応する記号は、Ｑｉのアラビア数字である。
【００９３】
次いで、制御部１４ａは、第１操作部１０ｃの操作状態を検出し、第１操作部１０ｃが操作されたか否かを判定する（ステップＳ１３６）。第１操作部１０ｃが操作されたと判定した場合（ステップＳ１３６：ＹＥＳ）、タイマー１７による計時を開始又は停止させるように、タイマー１７の動作を切り換える信号をタイマー１７へ出力する（ステップＳ１３７）。つまり、タイマー１７が計時を行っている場合、タイマー１７による計時を停止させ、タイマー１７が計時を停止している場合、タイマー１７による計時を開始させる。
【００９４】
ステップＳ１３７の処理を終えた場合、又はステップＳ１３６において第１操作部１０ｃが操作されていないと判定した場合（ステップＳ１３６：ＮＯ）、制御部１４ａは、タイマー１７の計時結果を検出し、所定時間、例えば０．５秒を経過したか否かを判定する（ステップＳ１３８）。
【００９５】
所定時間を経過したと判定した場合（ステップＳ１３８：ＹＥＳ）、Ｑｉに１を加算し（ステップＳ１３９）、タイマー１７をリセットする（ステップＳ１４０）。
【００９６】
次いで、制御部１４ａは、Ｑｉが９より大きいか否かを判定する（ステップＳ１４１）。Ｑｉが９より大きいと判定した場合（ステップＳ１４１：ＹＥＳ）、制御部１４ａは、Ｑｉから１０を減算する（ステップＳ１４２）。
【００９７】
ステップＳ１４２の処理を終えた場合、ステップＳ１４１においてＱｉが９以下であると判定した場合（ステップＳ１４１：ＮＯ）、又はステップＳ１３８において所定時間が経過していないと判定した場合（ステップＳ１３８：ＮＯ）、制御部１４ａは、第２操作部１０ｄが操作されたか否かを判定する（ステップＳ１４３）。
【００９８】
第２操作部１０ｄが操作されたと判定した場合（ステップＳ１４３：ＹＥＳ）、変数ｉに１を加算する（ステップＳ１４４）。第２操作部１０ｄが操作されていないと判定した場合（ステップＳ１４３：ＮＯ）、制御部１４ａは、処理をステップＳ１３５へ戻す。
【００９９】
ステップＳ１４４の処理を終えた場合、変数ｉが３より大きいか否かを判定する（ステップＳ１４５）。変数ｉが３より大きいと判定した場合（ステップＳ１４５：ＹＥＳ）、制御部１４ａは、被認証データの入力に係るサブルーチンの処理を終える。変数ｉが３以下であると判定した場合（ステップＳ１４５：ＮＯ）、制御部１４ａは、処理をステップＳ１３２へ戻す。
【０１００】
実施の形態２にあっては、第１操作部１０ｃ又は第２操作部１０ｄが操作された場合にのみ、数値を変更する場合に比して、所望の数値を入力するための数値の変更操作の回数が少なく、快適に数値の変更操作を行うことができる。
【図面の簡単な説明】
【０１０１】
【図１】実施の形態１に係るテレビジョン受像機の構成を示すブロック図である。
【図２】テレビジョン受像機の略示斜視図である。
【図３】視聴制限及び視聴制限の解除に係る制御部の処理手順を示すフローチャートである。
【図４】視聴制限及び視聴制限の解除に係る制御部の処理手順を示すフローチャートである。
【図５】視聴制限の設定に係るサブルーチンの処理手順を示すフローチャートである。
【図６】被認証データの入力に係るサブルーチンの処理手順を示すフローチャートである。
【図７】被認証データの入力に係るサブルーチンの処理手順を示すフローチャートである。
【図８】視聴制限の解除に係るサブルーチンの処理手順を示すフローチャートである。
【図９】実施の形態２に係るテレビジョン受像機の被認証データの入力に係るサブルーチンの処理手順を示すフローチャートである。
【符号の説明】
【０１０２】
１０ａ  電源ボタン
１０ｂ  メニューボタン
１０ｃ  第１操作部
１０ｄ  第２操作部
１１  受信部
１２  表示部
１３  スピーカ
１４ａ  制御部
１４ｂ  チューナ部
１４ｃ  中間周波増幅部
１４ｄ  映像検波部
１４ｅ  音声検波部
１５  記憶部
１６  信号処理部
１６ａ  視聴制限部
１７  タイマー
【図１】
2006180287.tif 000003
【図２】
2006180287.tif 000004
【図３】
2006180287.tif 000005
【図４】
2006180287.tif 000006
【図５】
2006180287.tif 000007
【図６】
2006180287.tif 000008
【図７】
2006180287.tif 000009
【図８】
2006180287.tif 000010
【図９】
2006180287.tif 000011